【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
処理対象物が収納されるケーシングと、
前記処理対象物に対して電磁波放射部から所定の電磁波を放射すると共に当該電磁波放射部の一部が前記ケーシングから露出される１又は２以上の電磁波発生源と、
前記電磁波発生源を前記ケーシングに保持する保持具と、
前記保持具に装着されると共に前記電磁波放射部の前記露出部を覆う被覆部材と、
前記電磁波発生源の出力を検出する電磁波検出センサと、を備え、
前記被覆部材に前記電磁波検出センサを固定すると共に、当該電磁波検出センサの受光部と前記電磁波発生源とを連通する連通路を当該被覆部材に設けた
ことを特徴とする電磁波照射装置。
【請求項２】
前記被覆部材には、前記電磁波検出センサを固定するためのブラケットを設けた
ことを特徴とする請求項１記載の電磁波照射装置。
【請求項３】
前記ブラケットは一対の挟持片からなり、当該一対の挟持片間に電磁波検出センサを挟持して当該電磁波検出センサを前記被覆部材に固定した
ことを特徴とする請求項２記載の電磁波照射装置。
【請求項４】
前記電磁波は、少なくとも１００ｎｍ乃至４８０ｎｍの波長領域を含む
ことを特徴とする請求項１記載の電磁波照射装置。
【請求項５】
前記被覆部材は、紫外線透過性フッ素樹脂で形成した
ことを特徴とする請求項１記載の電磁波照射装置。
【請求項６】
前記保持具は、前記電磁波発生源が貫通される筒状部を有すると共に、当該筒状部に嵌合される筒体部を前記被覆部材に設け、前記筒体部を前記筒状部に装着した状態において前記連通路に合致される１又は２以上の連通穴を前記保持具に設けた
ことを特徴とする請求項１記載の電磁波照射装置。
【請求項７】
前記被覆部材には、当該被覆部材を前記保持具に固定するための固定手段を設けた
ことを特徴とする請求項１記載の電磁波照射装置。
【請求項８】
前記被覆部材に装着されると共に前記電磁波発生源の所定以上の偏りを防止する姿勢規制部材を設けた
ことを特徴とする請求項１記載の電磁波照射装置。
【請求項９】
前記姿勢規制部材には、前記電磁波発生源のリード線を外部に引き出すための切欠き部を設けた
ことを特徴とする請求項８記載の電磁波照射装置。
【請求項１０】
前記姿勢規制部材には、前記電磁波発生源の熱を外部に逃がすための放熱路を設けた
ことを特徴とする請求項８記載の電磁波照射装置。
【手続補正２】
【補正対象書類名】明細書
【補正対象項目名】０００１
【補正方法】変更
【補正の内容】
【０００１】
本発明は、電磁波（特に、波長が１００ｎｍから４８０ｎｍまでの範囲内にある紫外線及び可視光線）を放射して処理対象物を殺菌、加熱、反応等させるための電磁波照射装置に関し、特に、処理対象物が収納されるケーシングから電磁波放射部の一部が露出された電磁波発生源の出力を電磁波検出センサで検出するようにした電磁波照射装置に関するものである。
【手続補正３】
【補正対象書類名】明細書
【補正対象項目名】０００５
【補正方法】変更
【補正の内容】
【０００５】
しかしながら、このような従来の電磁波照射装置においては、第１従来例の場合には、ケーシングである紫外線照射タンクに複数のＵＶセンサが取り付けられており、そのＵＶセンサの受光部が処理対象物に直接接触する構造となっていた。そのため、ＵＶセンサの受光部が処理対象物によって影響を受けることがあり、例えば、処理対象物が受光部に付着することによってセンサの感度が低下し、紫外線ランプの正確な出力を測定することができないという課題があった。
【手続補正４】
【補正対象書類名】明細書
【補正対象項目名】０００６
【補正方法】変更
【補正の内容】
【０００６】
また、第２従来例の場合には、紫外線光源の一部がケーシングである外槽の外に露出されており、その露出部にはキャップが装着されていて、そのキャップに貫通孔を設け、その貫通孔にＵＶセンサを嵌合固定する構造となっていた。そのため、ＵＶセンサの受光部が処理対象物によって汚染されることが無いことから、紫外線光源から放射されている電磁波の測定には適しているが、ＵＶセンサが貫通孔に嵌め込まれているため、紫外線光源から発生する熱が貫通孔内にこもってしまい、ＵＶセンサの温度が許容範囲以上に上昇してしまう。その結果、ＵＶセンサの加熱によって出力が不安定になり、紫外線光源から放射される電磁波の出力を正確に測定することができないという課題があった。
【手続補正５】
【補正対象書類名】明細書
【補正対象項目名】０００７
【補正方法】変更
【補正の内容】
【０００７】
解決しようとする問題点は、ケーシングにＵＶセンサを取り付けて紫外線光源の出力を検出すると、ＵＶセンサの受光面が処理対象物の影響を受けて正確な値を検出することができないという点にある。また、ケーシング外にＵＶセンサを取り付けるとしても、キャップの貫通孔のような場所にＵＶセンサを設置すると、紫外線光源から放射される熱によってＵＶセンサの温度が高くなり、ＵＶセンサの出力が不安定になって同じく正確な値を検出することができない点にある。
【手続補正６】
【補正対象書類名】明細書
【補正対象項目名】０００８
【補正方法】変更
【補正の内容】
【０００８】
本出願の請求項１記載の電磁波照射装置は、処理対象物が収納されるケーシングと、処理対象物に対して電磁波放射部から所定の電磁波を放射すると共に電磁波放射部の一部がケーシングから露出される１又は２以上の電磁波発生源と、この電磁波発生源をケーシングに保持する保持具と、この保持具に装着されると共に電磁波放射部の露出部を覆う被覆部材と、電磁波発生源の出力を検出する電磁波検出センサと、を備え、被覆部材に電磁波検出センサを固定すると共に、電磁波検出センサの受光部と電磁波発生源とを連通する連通路を被覆部材に設けたことを最も主要な特徴とする。
【手続補正７】
【補正対象書類名】明細書
【補正対象項目名】０００９
【補正方法】変更
【補正の内容】
【０００９】
本出願の請求項２記載の電磁波照射装置は、被覆部材には、電磁波検出センサを固定するためのブラケットを設けたことを特徴とする。
【手続補正８】
【補正対象書類名】明細書
【補正対象項目名】００１０
【補正方法】変更
【補正の内容】
【００１０】
本出願の請求項３記載の電磁波照射装置は、ブラケットは一対の挟持片からなり、その一対の挟持片間に電磁波検出センサを挟持して電磁波検出センサを被覆部材に固定したことを特徴とする。
【手続補正９】
【補正対象書類名】明細書
【補正対象項目名】００１８
【補正方法】変更
【補正の内容】
【００１８】
本出願の請求項１記載の電磁波照射装置によれば、ケーシングに保持具を介して保持される電磁波発生源のケーシングから露出した部分を覆う被覆部材に電磁波検出センサを固定すると共に、その受光部と電磁波発生源とを連通する連通路を被覆部材に設ける構成としたため、電磁波検出センサの受光部が処理対象物の影響を受けないようにできると共に、電磁波検出センサが受ける電磁波発生源の熱影響を少なくすることができる。そのため、電磁波検出センサの受光部が処理対象物によって影響を受けることがないため、受光部に処理対象物が付着することによるセンサ感度の低下を防止することができる。しかも、電磁波検出センサの温度が著しく上昇するのを防止することができ、電磁波検出センサの温度上昇によって出力が不安定になるのを防ぎ、電磁波発生源から放射される電磁波の出力を正確に測定することができる。
【手続補正１０】
【補正対象書類名】明細書
【補正対象項目名】００１９
【補正方法】変更
【補正の内容】
【００１９】
本出願の請求項２記載の電磁波照射装置によれば、被覆部材にブラケットを設けることにより、電磁波検出センサを被覆部材に対して簡単且つ確実に取り付けることができると共に、電磁波検出センサの調整を容易に行うことができる。
【手続補正１１】
【補正対象書類名】明細書
【補正対象項目名】００２０
【補正方法】変更
【補正の内容】
【００２０】
本出願の請求項３記載の電磁波照射装置によれば、被覆部材に一対の挟持片を設けてブラケットを構成し、この一対の挟持片間に電磁波検出センサを挟持して固定することにより、電磁波検出センサをより一層強固且つ確実に取り付けることができると共に、電磁波検出センサの調整を容易に行うことができる。
【手続補正１２】
【補正対象書類名】明細書
【補正対象項目名】００２３
【補正方法】変更
【補正の内容】
【００２３】
本出願の請求項６記載の電磁波照射装置によれば、保持具に筒状部を設けると共に被覆部材に筒体部を設け、筒状部に筒体部を嵌合した状態で、被覆部材の連通路に合致される１又は２以上の連通穴を保持具に設けることにより、保持具の外側に電磁波検出センサを設置することができ、被覆部材の取付構造を簡単にできると共に、電磁波検出センサが電磁波発生源から受ける熱影響を少なくして電磁波の出力の検出精度を高めることができる。
【手続補正１３】
【補正対象書類名】明細書
【補正対象項目名】００２８
【補正方法】変更
【補正の内容】
【００２８】
電磁波検出センサの受光部が処理対象物の影響を受けることがないと共に、電磁波検出センサが電磁波発生源から受ける熱影響を少なくすることができ、電磁波発生源から放射される電磁波の出力を正確に検出することができる電磁波照射装置を、簡単な構造によって実現した。
【手続補正１４】
【補正対象書類名】明細書
【補正対象項目名】００５３
【補正方法】変更
【補正の内容】
【００５３】
紫外線センサ３３は、紫外線の照射を受けて紫外線出力（入光パワー：ｍＷ／ｃｍ２）に対応した信号（例えば、電圧値（Ｖ））を出力するもので、例えば、オムロン株式会社製のＵＶパワーモニタ（Ｆ３ＵＶ−Ａ３０／Ａ０３）等を用いることができる。
【手続補正１５】
【補正対象書類名】明細書
【補正対象項目名】００５８
【補正方法】変更
【補正の内容】
【００５８】
これに対して、紫外線ランプ２０からの出力が直接測定され、更にきれいな状態の保護管２１を通過して測定され、これを出力の現在の基準値として用いることにより、実際の紫外線出力又はそれに近い値に基づいて常に紫外線殺菌装置１を制御することができる。そのために、例えばケーシング８の中途部分に紫外線センサを取り付けて別個に紫外線出力を測定し、その測定値と前記基準値とを比較することにより、ケーシング８に設けた内部を観察するための覗き窓の汚れか、処理対象物である液体自体の汚れか、紫外線ランプ２０自体の出力低下か、等を簡単に確認することができる。
【手続補正１６】
【補正対象書類名】明細書
【補正対象項目名】００５９
【補正方法】変更
【補正の内容】
【００５９】
即ち、本願発明では、ケーシング８の外部において保持具２２に固定される被覆部材３０を設け、この被覆部材３０に紫外線センサ３３を取り付けて、保護管２１を介して紫外線放射部から放射される紫外線の出力を測定するようにした。そのため、保護管２１のうち、処理対象物である水に接触することのない部分を介して紫外線の出力を測定することから、水によって汚れを生じた部位を測定するおそれがなく、実際に紫外線放射部から放射されている紫外線の出力に近い値（正確な値）を測定することができる。
【手続補正１７】
【補正対象書類名】明細書
【補正対象項目名】００６４
【補正方法】変更
【補正の内容】
【００６４】
この被覆部材７０の第２実施例の場合には、前述した実施例の効果に加えて、保護管２２を介することなく紫外線ランプ２０の電極５３ｂに近い部分を紫外線センサ３３で直接測定することができる。そのため、保護管２２の汚れを気にすることなく、実際に紫外線放射部から放射されている紫外線の出力を測定することができる。
【手続補正１８】
【補正対象書類名】明細書
【補正対象項目名】００６５
【補正方法】変更
【補正の内容】
【００６５】
図９に示す第３実施例に係る被覆部材８０は、キャップ２４の外側に紫外線センサ３３を配置すると共に、一対の挟持片を設けることなく、バンド部材８１によって着脱可能としたものである。バンド部材８１は、図示しないが、着脱可能であって長さ調整可能に構成されており、その締付力によって紫外線センサ３３を被覆部材８０の外周面に締付固定できるようになっている。また、連通路４０は、周方向に適宜な間隔をあけて複数個設けられている。通常、連通路４０は１個で足りるため、使用しない連通路４０は閉じ栓８２によって塞いでおくようにする。そのため、各連通路４０には、閉じ栓８２のネジ径に対応したネジが設けられている。他の構成は前記実施例と同様である。
【手続補正１９】
【補正対象書類名】明細書
【補正対象項目名】００６６
【補正方法】変更
【補正の内容】
【００６６】
この被覆部材８０の第３実施例の場合には、前述した実施例の効果に加えて、保護管２２を介することなく紫外線ランプ２０の電極５３ｂに近い部分を紫外線センサ３３で直接測定することができるため、保護管２２の汚れを気にすることなく、実際に紫外線放射部から放射されている紫外線の出力を測定することができる。しかも、設けた連通路４０の数だけ紫外線センサ３３の取付位置を変えることができ、紫外線センサ３３の取付自由度を増すことができる。
【手続補正２０】
【補正対象書類名】明細書
【補正対象項目名】００６９
【補正方法】変更
【補正の内容】
【００６９】
この被覆部材９０の第４実施例の場合には、前述した実施例の効果に加えて、保護管２２を介することなく紫外線ランプ２０の電極５３ｂに近い部分を紫外線センサ３３で直接測定することができるため、保護管２２の汚れを気にすることなく、実際に紫外線放射部から放射されている紫外線の出力を測定することができる。しかも、紫外線ランプ２０のガラス管が延在する方向から紫外線の出力を測定することができる。
【手続補正２１】
【補正対象書類名】明細書
【補正対象項目名】００７５
【補正方法】変更
【補正の内容】
【００７５】
このような構成を有する紫外線殺菌装置１００によっても、前述した実施例の紫外線殺菌装置１と同様に、実際に紫外線放射部から放射されている紫外線の出力に近い値（正確な値）を測定することができる。